【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
発泡体基材を備えるパッド付きエレメントであって、前記発泡体基材は、その中に配設されている第１の内部表面と、前記第１の内部表面に対向する第２の内部表面とを有しており、前記第１の内部表面は、前記発泡体基材の外側表面と前記第２の内部表面との間に置かれており、前記第１の内部表面および前記第２の内部表面のうちの少なくとも１つが、テクスチャの付いた部分を備える、パッド付きエレメント。
【請求項２】
前記発泡体基材が、単一の発泡体部分から成形される、請求項１に記載のパッド付きエレメント。
【請求項３】
前記テクスチャの付いた部分が、複数のピーク部部分と複数の谷底部部分とを備える、請求項１または２に記載のパッド付きエレメント。
【請求項４】
前記複数のピーク部部分の中のそれぞれのピーク部部分が、実質的に細長く、前記複数の谷底部部分の中のそれぞれの谷底部部分が、実質的に細長い、請求項３に記載のパッド付きエレメント。
【請求項５】
前記複数のピーク部部分と前記複数の谷底部部分とが、実質的に平行な関係で配設されている、請求項４に記載のパッド付きエレメント。
【請求項６】
前記複数のピーク部部分が、複数の実質的に直立した突出部に備えられる、請求項３に記載のパッド付きエレメント。
【請求項７】
前記複数の突出部が、実質的に同じ形状を備える、請求項６に記載のパッド付きエレメント。
【請求項８】
前記複数の突出部が、実質的に同じ寸法を備える、請求項６に記載のパッド付きエレメント。
【請求項９】
前記複数の突出部が、異なる形状を備える、請求項６に記載のパッド付きエレメント。
【請求項１０】
前記複数の突出部が、異なる寸法を備える、請求項６に記載のパッド付きエレメント。
【請求項１１】
成形されたエレメントの生産のための金型であって、前記金型は、金型キャビティーを画定するために係合可能な第１の金型部分と第２の金型部分とを備えており、前記金型は、少なくとも１つのインサートエレメントをさらに備え、前記インサートエレメントは、テクスチャの付いた表面を有し、成形されたエレメントの中で互いに対して対向する第１の内部表面と第２の内部表面とを生成するように構成されている、金型。
【請求項１２】
前記少なくとも１つのインサートエレメントが、前記第１の金型部分および前記第２の金型部分のうちの１つまたは両方に対して枢動自在に可動であり、前記成形されたエレメントの離型を容易にする、請求項１１に記載の金型。
【請求項１３】
前記第１の金型部分が、蓋部であり、前記第２の金型部分が、ボウル部である、請求項１１に記載の金型。
【請求項１４】
前記少なくとも１つのインサートエレメントが、前記ボウル部に付けられている、請求項１３に記載の金型。
【請求項１５】
前記少なくとも１つのインサートエレメントが、前記ボウル部に対して可動であり、前記成形されたエレメントの離型を容易にする、請求項１４に記載の金型。
【請求項１６】
前記少なくとも１つのインサートエレメントが、前記ボウル部に対して枢動自在に可動であり、前記成形されたエレメントの離型を容易にする、請求項１４に記載の金型。
【請求項１７】
前記金型が、複数のインサートエレメントを備え、それぞれのインサートエレメントが、テクスチャの付いた表面を備える、請求項１１〜１６のいずれか一項に記載の金型。
【請求項１８】
請求項１１〜１７のいずれか一項に記載の前記金型の中で成形されるエレメントの生産のためのプロセスであって、
（ｉ）前記金型キャビティーの中に成形用組成物を注入するステップと、
（ｉｉ）前記少なくとも１つのインサートエレメントを前記成形用組成物で実質的に完全に取り囲むステップと、
（ｉｉ）前記成形用組成物を硬化させ、前記成形されたエレメントを生産するステップと
を備える、プロセス。
【請求項１９】
請求項１１〜１７のいずれか一項に記載の前記金型の中で発泡させられるエレメントの生産のためのプロセスであって、
（ｉ）前記金型キャビティーの中に発泡性組成物を注入するステップと、
（ｉｉ）前記発泡性組成物を膨張させるステップと、
（ｉｉｉ）前記少なくとも１つのインサートエレメントを前記発泡性組成物で実質的に完全に取り囲むステップと
を備える、プロセス。
【手続補正２】
【補正対象書類名】明細書
【補正対象項目名】００７１
【補正方法】変更
【補正の内容】
【００７１】
本明細書で参照されるすべての刊行物、特許、および、特許出願は、あたかもそれぞれ
の個々の刊行物、特許、または、特許出願が、具体的におよび個別的に、その全体が参照
により組み込まれるように示されているかのように、同程度にその全体が参照により組み
込まれている。
以下、本願の出願当初の特許請求の範囲に記載された発明を付記する。
［１］
発泡体基材を備えるパッド付きエレメントであって、前記発泡体基材は、その中に配設されている第１の内部表面と、前記第１の内部表面に対向する第２の内部表面とを有しており、前記第１の内部表面は、前記発泡体基材の外側表面と前記第２の内部表面との間に置かれており、前記第１の内部表面および前記第２の内部表面のうちの少なくとも１つが、テクスチャの付いた部分を備える、パッド付きエレメント。
［２］
前記第１の内部表面が、テクスチャの付いた部分を備え、前記第２の内部表面が、実質的にテクスチャが付いていない、［１］に記載のパッド付きエレメント。
［３］
前記第１の内部表面が、実質的にテクスチャが付いておらず、前記第２の内部表面が、テクスチャの付いた部分を備える、［１］に記載のパッド付きエレメント。
［４］
前記第１の内部表面と前記第２の内部表面の両方が、テクスチャの付いた部分を備える、［１］に記載のパッド付きエレメント。
［５］
前記第１の内部表面と前記第２の内部表面とが、前記パッド付きエレメントの静止位置において、離間した関係にある、［１］〜［４］のいずれか一項に記載のパッド付きエレメント。
［６］
前記第１の内部表面と前記第２の内部表面とが、前記パッド付きエレメントの静止位置において、接触関係にある、［１］〜［４］のいずれか一項に記載のパッド付きエレメント。
［７］
前記発泡体基材が、成形される、［１］〜［６］のいずれか一項に記載のパッド付きエレメント。
［８］
前記発泡体基材が、単一の発泡体部分から成形される、［１］〜［６］のいずれか一項に記載のパッド付きエレメント。
［９］
前記テクスチャの付いた部分が、複数のピーク部部分と複数の谷底部部分とを備える、［１］〜［８］のいずれか一項に記載のパッド付きエレメント。
［１０］
それぞれのピーク部部分が、頂点部分を備える、［９］に記載のパッド付きエレメント。
［１１］
前記頂点部分が、第１の尖った部分を備える、［１０］に記載のパッド付きエレメント。
［１２］
前記頂点部分が、第１の丸みを帯びた部分を備える、［１０］に記載のパッド付きエレメント。
［１３］
前記頂点部分が、第１の平坦な部分を備える、［１０］に記載のパッド付きエレメント。
［１４］
それぞれの谷底部部分が、最下点部分を備える、［９］〜［１４］のいずれか一項に記載のパッド付きエレメント。
［１５］
前記最下点部分が、第２の尖った部分を備える、［１４］に記載のパッド付きエレメント。
［１６］
前記最下点部分が、第２の丸みを帯びた部分を備える、［１６］に記載のパッド付きエレメント。
［１７］
前記最下点部分が、第２の平坦な部分を備える、［１４］に記載のパッド付きエレメント。
［１８］
それぞれのピーク部部分が、頂点部分を備え、それぞれの谷底部部分が、最下点部分を備える、［９］に記載のパッド付きエレメント。
［１９］
前記頂点部分と前記最下点部分とが、同じプロファイルを備える、［１８］に記載のパッド付きエレメント。
［２０］
前記頂点部分と前記最下点部分とが、異なるプロファイルを備える、［２０］のパッド付きエレメント。
［２１］
前記頂点部分が、第１の尖った部分を備える、［１８］〜［２０］のいずれか一項に記載のパッド付きエレメント。
［２２］
前記頂点部分が、第１の丸みを帯びた部分を備える、［１８］〜［２０］のいずれか一項に記載のパッド付きエレメント。
［２３］
前記頂点部分が、第１の平坦な部分を備える、［１８］〜［２０］のいずれか一項に記載のパッド付きエレメント。
［２４］
前記最下点部分が、第２の尖った部分を備える、［１８］〜［２３］のいずれか一項に記載のパッド付きエレメント。
［２５］
前記最下点部分が、第２の丸みを帯びた部分を備える、［１８］〜［２３］のいずれか一項に記載のパッド付きエレメント。
［２６］
前記最下点部分が、第２の平坦な部分を備える、［１８］〜［２３］のいずれか一項に記載のパッド付きエレメント。
［２７］
前記複数のピーク部部分の中のそれぞれのピーク部部分が、実質的に細長い、［９］〜［２６］のいずれか一項に記載のパッド付きエレメント。
［２８］
前記複数のピーク部部分が、互いに対して実質的に平行に配設されている、［２７］に記載のパッド付きエレメント。
［２９］
前記複数の谷底部部分の中のそれぞれの谷底部部分が、実質的に細長い、［９］〜［２８］のいずれか一項に記載のパッド付きエレメント。
［３０］
前記複数のピーク部部分が、第１の一連の細長いピーク部部分と、第２の一連の細長いピーク部部分とを備え、前記第１の一連と前記第２の一連とが、互いに対して横断する方向に配設されている、［９］〜［２９］のいずれか一項に記載のパッド付きエレメント。
［３１］
前記複数のピーク部部分が、第１の一連の細長いピーク部部分と、第２の一連の細長いピーク部部分とを備え、前記第１の一連と前記第２の一連とが、互いに対して平行でないように配設されている、［９］〜［２９］のいずれか一項に記載のパッド付きエレメント。
［３２］
前記複数のピーク部部分が、第１の一連の細長いピーク部部分と、第２の一連の細長いピーク部部分とを備え、前記第１の一連と前記第２の一連とが、互いに対して直交して配設されている、［９］〜［２９］のいずれか一項に記載のパッド付きエレメント。
［３３］
前記複数の谷底部部分が、第１の一連の細長い谷底部部分と、第２の一連の細長い谷底部部分とを備え、前記第１の一連と前記第２の一連とが、互いに対して横断する方向に配設されている、［９］〜［２９］のいずれか一項に記載のパッド付きエレメント。
［３４］
前記複数の谷底部部分が、第１の一連の細長い谷底部部分と、第２の一連の細長い谷底部部分とを備え、前記第１の一連と前記第２の一連とが、互いに対して平行でないように配設されている、［９］〜［２９］のいずれか一項に記載のパッド付きエレメント。
［３５］
前記複数の谷底部部分が、第１の一連の細長い谷底部部分と、第２の一連の細長い谷底部部分とを備え、前記第１の一連と前記第２の一連とが、互いに対して直交して配設されている、［９］〜［２９］のいずれか一項に記載のパッド付きエレメント。
［３６］
前記複数のピーク部部分の中のそれぞれのピーク部部分が、実質的に細長く、前記複数の谷底部部分の中のそれぞれの谷底部部分が、実質的に細長い、［９］〜［２９］のいずれか一項に記載のパッド付きエレメント。
［３７］
前記複数のピーク部部分と前記複数の谷底部部分とが、実質的に平行な関係で配設されている、［３６］に記載のパッド付きエレメント。
［３８］
前記複数のピーク部部分が、複数の実質的に直立した突出部に備えられる、［９］〜［２９］のいずれか一項に記載のパッド付きエレメント。
［３９］
それぞれの突出部の断面が、長方形を備える、［３８］に記載のパッド付きエレメント。
［４０］
それぞれの突出部の断面が、台形を備える、［３８］に記載のパッド付きエレメント。
［４１］
それぞれの突出部の断面が、左右対称的な台形を備える、［３８］に記載のパッド付きエレメント。
［４２］
それぞれの突出部の断面が、オジーブ形状を備える、［３８］に記載のパッド付きエレメント。
［４３］
隣接する突出部の断面が、スカラップ形状を備える、［３８］に記載のパッド付きエレメント。
［４４］
隣接する突出部の間の谷底部部分の断面が、スカラップ形状を備える、［３８］に記載のパッド付きエレメント。
［４５］
それぞれの突出部が、交差ボールトの形状を備える、［３８］に記載のパッド付きエレメント。
［４６］
前記複数の突出部が、実質的に同じ形状を備える、［３８］〜［４５］のいずれか一項に記載のパッド付きエレメント。
［４７］
前記複数の突出部が、実質的に同じ寸法を備える、［３８］〜［４５］のいずれか一項に記載のパッド付きエレメント。
［４８］
前記複数の突出部が、実質的に同じ形状と同じ寸法とを備える、［３８］〜［４５］のいずれか一項に記載のパッド付きエレメント。
［４９］
前記複数の突出部が、異なる形状を備える、［３８］〜［４５］のいずれか一項に記載のパッド付きエレメント。
［５０］
前記複数の突出部が、異なる寸法を備える、［３８］〜［４５］のいずれか一項に記載のパッド付きエレメント。
［５１］
前記複数の突出部が、異なる形状と異なる寸法とを備える、［３８］〜［４５］のいずれか一項に記載のパッド付きエレメント。
［５２］
前記複数の突出部が、実質的に同じ形状と異なる寸法とを備える、［３８］〜［４５］のいずれか一項に記載のパッド付きエレメント。
［５３］
前記複数の突出部が、異なる形状と同じ寸法とを備える、［３８］〜［４５］のいずれか一項に記載のパッド付きエレメント。
［５４］
少なくとも２つの谷底部部分が、互いに接続されている、［９］〜［５３］のいずれか一項に記載のパッド付きエレメント。
［５５］
前記複数の谷底部部分が、互いに接続されている、［９］〜［５３］のいずれか一項に記載のパッド付きエレメント。
［５６］
少なくとも２つの谷底部部分が、互いから独立している、［９］〜［５３］のいずれか一項に記載のパッド付きエレメント。
［５７］
前記複数の谷底部部分が、互いから独立している、［９］〜［５３］のいずれか一項に記載のパッド付きエレメント。
［５８］
少なくとも２つのピーク部部分が、互いに接続されている、［９］〜［５３］のいずれか一項に記載のパッド付きエレメント。
［５９］
前記複数のピーク部部分が、互いに接続されている、［９］〜［５３］のいずれか一項に記載のパッド付きエレメント。
［６０］
少なくとも２つのピーク部部分が、互いから独立している、［９］〜［５３］のいずれか一項に記載のパッド付きエレメント。
［６１］
前記複数のピーク部部分が、互いから独立している、［９］〜［５３］のいずれか一項に記載のパッド付きエレメント。
［６２］
前記テクスチャの付いた部分が、第１の刻み目のあるパターンを備える、［９］〜［５３］のいずれか一項に記載のパッド付きエレメント。
［６３］
前記テクスチャの付いた部分が、第１の刻み目のあるパターンと、第２の刻み目のあるパターンとを備え、前記第１の刻み目のあるパターンと、前記第２の刻み目のあるパターンとが、互いに対して横断する関係で配設されている、［９］〜［６２］のいずれか一項に記載のパッド付きエレメント。
［６４］
前記テクスチャの付いた部分が、第１の刻み目のあるパターンと、第２の刻み目のあるパターンとを備え、前記第１の刻み目のあるパターンと、前記第２の刻み目のあるパターンとが、互いに対して直交する関係で配設されている、［９］〜［６２］のいずれか一項に記載のパッド付きエレメント。
［６５］
前記テクスチャの付いた部分が、第１の歯状パターンを備える、［９］〜［６２］のいずれか一項に記載のパッド付きエレメント。
［６６］
前記テクスチャの付いた部分が、第１の歯状パターンと、第２の歯状パターンとを備え、前記第１の歯状パターンと、前記第２の歯状パターンとが、互いに対して横断する関係で配設されている、［９］〜［６２］のいずれか一項に記載のパッド付きエレメント。
［６７］
前記テクスチャの付いた部分が、第１の歯状パターンと、第２の歯状パターンとを備え、前記第１の歯状パターンと、前記第２の歯状パターンとが、互いに対して直交する関係で配設されている、［９］〜［６２］のいずれか一項に記載のパッド付きエレメント。
［６８］
座席表面エレメントが、複数のセクションを備え、それぞれのセクションが、複数のピーク部部分と、複数の谷底部部分とを備える、［９］〜［６７］のいずれか一項に記載のパッド付きエレメント。
［６９］
それぞれのセクションの中の前記複数のピーク部部分が、同じである、［６８］に記載のパッド付きエレメント。
［７０］
それぞれのセクションの中の前記複数の谷底部部分が、同じである、［６８］に記載のパッド付きエレメント。
［７１］
それぞれのセクションの中の前記複数のピーク部部分、および、前記複数の谷底部部分が、同じである、［６８］に記載のパッド付きエレメント。
［７２］
それぞれのセクションの中の前記複数のピーク部部分が、異なっている、［６８］に記載のパッド付きエレメント。
［７３］
それぞれのセクションの中の前記複数の谷底部部分が、異なっている、［６８］に記載のパッド付きエレメント。
［７４］
それぞれのセクションの中の前記複数のピーク部部分、および、前記複数の谷底部部分が、異なっている、［６８］に記載のパッド付きエレメント。
［７５］
前記複数のセクションの一対の隣接するセクションの少なくとも一部分を分離する少なくとも１つの溝部をさらに備える、［６８］〜［７４］のいずれか一項に記載のパッド付きエレメント。
［７６］
前記発泡体基材が、イソシアネートベースの発泡体を備える、［１］〜［７５］のいずれか一項に記載のパッド付きエレメント。
［７７］
前記発泡体基材が、ポリウレタン発泡体を備える、［１］〜［７５］のいずれか一項に記載のパッド付きエレメント。
［７８］
前記発泡体基材が、ポリオレフィンベースの発泡体を備える、［１］〜［７５］のいずれか一項に記載のパッド付きエレメント。
［７９］
前記発泡体基材が、ポリプロピレン発泡体を備える、［１］〜［７５］のいずれか一項に記載のパッド付きエレメント。
［８０］
前記発泡体基材が、ポリエチレン発泡体を備える、［１］〜［７５］のいずれか一項に記載のパッド付きエレメント。
［８１］
前記発泡体基材が、均一な密度を備える、［１］〜［８０］のいずれか一項に記載のパッド付きエレメント。
［８２］
前記発泡体基材が、可変の密度を備える、［１］〜［８０］のいずれか一項に記載のパッド付きエレメント。
［８３］
［１］〜［８２］のいずれか一項に記載のパッド付きエレメントを備えるシートエレメント。
［８４］
前記外側表面と前記第１の内部表面とをその中に備えた座席表面部分を備える、［８３］に記載のシートエレメント。
［８５］
［８３］〜［８４］のいずれか一項に記載のシートエレメントを備える車両用シート。
［８６］
［８３］〜［８４］のいずれか一項に記載のシートエレメントを備える車両用シート座部。
［８７］
［８３］〜［８４］のいずれか一項に記載のシートエレメントを備える車両用シート背部。
［８８］
［８３］〜［８４］のいずれか一項に記載のシートエレメントを備えるシート座部。
［８９］
［８３］〜［８４］のいずれか一項に記載のシートエレメントを備えるシート背部。
［９０］
成形されたエレメントの生産のための金型であって、前記金型は、金型キャビティーを画定するために係合可能な第１の金型部分と第２の金型部分とを備えており、前記金型は、少なくとも１つのインサートエレメントをさらに備え、前記インサートエレメントは、テクスチャの付いた表面を有し、成形されたエレメントの中で互いに対して対向する第１の内部表面と第２の内部表面とを生成するように構成されている、金型。
［９１］
前記テクスチャの付いた表面が、複数のピーク部部分と、複数の谷底部部分とを備える、［９０］に記載の金型。
［９２］
それぞれのピーク部が、頂点部分を備える、［９１］に記載の金型。
［９３］
前記頂点部分が、第１の尖った部分を備える、［９２］に記載の金型。
［９４］
前記頂点部分が、第１の丸みを帯びた部分を備える、［９２］に記載の金型。
［９５］
前記頂点部分が、第１の平坦な部分を備える、［９２］に記載の金型。
［９６］
それぞれの谷底部が、最下点部分を備える、［９１］に記載の金型。
［９７］
前記最下点部分が、第２の尖った部分を備える、［９６］に記載の金型。
［９８］
前記最下点部分が、第２の丸みを帯びた部分を備える、［９６］に記載の金型。
［９９］
前記最下点部分が、第２の平坦な部分を備える、［９６］に記載の金型。
［１００］
それぞれのピーク部が、頂点部分を備え、それぞれの谷底部が、最下点部分を備える、［９１］に記載の金型。
［１０１］
前記頂点部分と前記最下点部分とが、同じプロファイルを備える、［１００］に記載の金型。
［１０２］
前記頂点部分と前記最下点部分とが、異なるプロファイルを備える、［１００］に記載の金型。
［１０３］
前記頂点部分が、第１の尖った部分を備える、［１００］〜［１０２］のいずれか一項に記載の金型。
［１０４］
前記頂点部分が、第１の丸みを帯びた部分を備える、［１００］〜［１０２］のいずれか一項に記載の金型。
［１０５］
前記頂点部分が、第１の平坦な部分を備える、［１００］〜［１０２］のいずれか一項に記載の金型。
［１０６］
前記最下点部分が、第２の尖った部分を備える、［１００］〜［１０５］のいずれか一項に記載の金型。
［１０７］
前記最下点部分が、第２の丸みを帯びた部分を備える、［１００］〜［１０５］のいずれか一項に記載の金型。
［１０８］
前記最下点部分が、第２の平坦な部分を備える、［１００］〜［１０５］のいずれか一項に記載の金型。
［１０９］
前記複数のピーク部部分の中のそれぞれのピーク部部分が、実質的に細長い、［９１］〜［１０８］のいずれか一項に記載の金型。
［１１０］
前記複数のピーク部部分が、互いに対して実質的に平行に配設されている、［１０９］に記載の金型。
［１１１］
前記複数の谷底部部分の中のそれぞれの谷底部部分が、実質的に細長い、［９１］〜［１０８］のいずれか一項に記載の金型。
［１１２］
前記複数のピーク部部分が、第１の一連の細長いピーク部部分と、第２の一連の細長いピーク部部分とを備え、前記第１の一連と前記第２の一連とが、互いに対して横断する方向に配設されている、［９１］〜［１０８］のいずれか一項に記載の金型。
［１１３］
前記複数のピーク部部分が、第１の一連の細長いピーク部部分と、第２の一連の細長いピーク部部分とを備え、前記第１の一連と前記第２の一連とが、互いに対して平行でないように配設されている、［９１］〜［１０８］のいずれか一項に記載の金型。
［１１４］
前記複数のピーク部部分が、第１の一連の細長いピーク部部分と、第２の一連の細長いピーク部部分とを備え、前記第１の一連と前記第２の一連とが、互いに対して直交して配設されている、［９１］〜［１０８］のいずれか一項に記載の金型。
［１１５］
前記複数の谷底部部分が、第１の一連の細長い谷底部部分と、第２の一連の細長い谷底部部分とを備え、前記第１の一連と前記第２の一連とが、互いに対して横断する方向に配設されている、［９１］〜［１０８］のいずれか一項に記載の金型。
［１１６］
前記複数の谷底部部分が、第１の一連の細長い谷底部部分と、第２の一連の細長い谷底部部分とを備え、前記第１の一連と前記第２の一連とが、互いに対して平行でないように配設されている、［９１］〜［１０８］のいずれか一項に記載の金型。
［１１７］
前記複数の谷底部部分が、第１の一連の細長い谷底部部分と、第２の一連の細長い谷底部部分とを備え、前記第１の一連と前記第２の一連とが、互いに対して直交して配設されている、［９１］〜［１０８］のいずれか一項に記載の金型。
［１１８］
前記複数のピーク部部分の中のそれぞれのピーク部部分が、実質的に細長く、前記複数の谷底部部分の中のそれぞれの谷底部部分が、実質的に細長い、［９１］〜［１０８］のいずれか一項に記載の金型。
［１１９］
前記複数のピーク部部分と前記複数の谷底部部分とが、実質的に平行な関係で配設されている、［１１８］に記載の金型。
［１２０］
前記複数のピーク部部分が、複数の実質的に直立した突出部に備えられる、［９１］〜［１０８］のいずれか一項に記載の金型。
［１２１］
それぞれの突出部の断面が、長方形を備える、［１２０］に記載の金型。
［１２２］
それぞれの突出部の断面が、台形を備える、［１２０］に記載の金型。
［１２３］
それぞれの突出部の断面が、左右対称的な台形を備える、［１２０］に記載の金型。
［１２４］
それぞれの突出部の断面が、オジーブ形状を備える、［１２０］に記載の金型。
［１２５］
隣接する突出部の断面が、スカラップ形状を備える、［１２０］に記載の金型。
［１２６］
隣接する突出部の間の谷底部部分の断面が、スカラップ形状を備える、［１２０］に記載の金型。
［１２７］
それぞれの突出部が、交差ボールトの形状を備える、［１２０］に記載の金型。
［１２８］
前記複数の突出部が、実質的に同じ形状を備える、［１２０］〜［１２７］のいずれか一項に記載の金型。
［１２９］
前記複数の突出部が、実質的に同じ寸法を備える、［１２０］〜［１２７］のいずれか一項に記載の金型。
［１３０］
前記複数の突出部が、実質的に同じ形状と同じ寸法とを備える、［１２０］〜［１２７］のいずれか一項に記載の金型。
［１３１］
前記複数の突出部が、異なる形状を備える、［１２０］〜［１２７］のいずれか一項に記載の金型。
［１３２］
前記複数の突出部が、異なる寸法を備える、［１２０］〜［１２７］のいずれか一項に記載の金型。
［１３３］
前記複数の突出部が、異なる形状と異なる寸法とを備える、［１２０］〜［１２７］のいずれか一項に記載の金型。
［１３４］
前記複数の突出部が、実質的に同じ形状と異なる寸法とを備える、［１２０］〜［１２７］のいずれか一項に記載の金型。
［１３５］
前記複数の突出部が、異なる形状と同じ寸法とを備える、［１２０］〜［１２７］のいずれか一項に記載の金型。
［１３６］
少なくとも２つの谷底部部分が、互いに接続されている、［９１］〜［１３５］のいずれか一項に記載の金型。
［１３７］
前記複数の谷底部部分が、互いに接続されている、［９１］〜［１３５］のいずれか一項に記載の金型。
［１３８］
少なくとも２つの谷底部部分が、互いから独立している、［９１］〜［１３５］のいずれか一項に記載の金型。
［１３９］
前記複数の谷底部部分が、互いから独立している、［９１］〜［１３５］のいずれか一項に記載の金型。
［１４０］
少なくとも２つのピーク部部分が、互いに接続されている、［９１］〜［１３５］のいずれか一項に記載の金型。
［１４１］
前記複数のピーク部部分が、互いに接続されている、［９１］〜［１３５］のいずれか一項に記載の金型。
［１４２］
少なくとも２つのピーク部部分が、互いから独立している、［９１］〜［１３５］のいずれか一項に記載の金型。
［１４３］
前記複数のピーク部部分が、互いから独立している、［９１］〜［１３５］のいずれか一項に記載の金型。
［１４４］
座席表面成形エレメントが、第１の刻み目のあるパターンを備える、［９１］〜［１４３］のいずれか一項に記載の金型。
［１４５］
座席表面成形エレメントが、第１の刻み目のあるパターンと、第２の刻み目のあるパターンとを備え、前記第１の刻み目のあるパターンと、前記第２の刻み目のあるパターンとが、互いに対して横断する関係で配設されている、［９１］〜［１４３］のいずれか一項に記載の金型。
［１４６］
座席表面成形エレメントが、第１の刻み目のあるパターンと、第２の刻み目のあるパターンとを備え、前記第１の刻み目のあるパターンと、前記第２の刻み目のあるパターンとが、互いに対して直交する関係で配設されている、［９１］〜［１４３］のいずれか一項に記載の金型。
［１４７］
座席表面成形エレメントが、第１の歯状パターンを備える、［９１］〜［１４３］のいずれか一項に記載の金型。
［１４８］
座席表面成形エレメントが、第１の歯状パターンと、第２の歯状パターンとを備え、前記第１の歯状パターンと、前記第２の歯状パターンとが、互いに対して横断する関係で配設されている、［９１］〜［１４３］のいずれか一項に記載の金型。
［１４９］
座席表面成形エレメントが、第１の歯状パターンと、第２の歯状パターンとを備え、前記第１の歯状パターンと、前記第２の歯状パターンとが、互いに対して直交する関係で配設されている、［９１］〜［１４３］のいずれか一項に記載の金型。
［１５０］
座席表面エレメントが、複数のセクションを備え、それぞれのセクションが、複数のピーク部部分と、複数の谷底部部分とを備える、［９１］〜［１４３］のいずれか一項に記載の金型。
［１５１］
それぞれのセクションの中の前記複数のピーク部部分が、同じである、［１５０］に記載の金型。
［１５２］
それぞれのセクションの中の前記複数の谷底部部分が、同じである、［１５０］に記載の金型。
［１５３］
それぞれのセクションの中の前記複数のピーク部部分、および、前記複数の谷底部部分が、同じである、［１５０］に記載の金型。
［１５４］
それぞれのセクションの中の前記複数のピーク部部分が、異なっている、［１５０］に記載の金型。
［１５５］
それぞれのセクションの中の前記複数の谷底部部分が、異なっている、［１５０］に記載の金型。
［１５６］
それぞれのセクションの中の前記複数のピーク部部分、および、前記複数の谷底部部分が、異なっている、［１５０］に記載の金型。
［１５７］
前記少なくとも１つのインサートエレメントが、前記第１の金型部分および前記第２の金型部分のうちの１つに付けられている、［９０］〜［１５６］のいずれか一項に記載の金型。
［１５８］
前記少なくとも１つのインサートエレメントが、前記第１の金型部分および前記第２の金型部分のうちの１つまたは両方に対して可動であり、前記成形されたエレメントの離型を容易にする、［９０］〜［１５７］のいずれか一項に記載の金型。
［１５９］
前記少なくとも１つのインサートエレメントが、前記第１の金型部分および前記第２の金型部分のうちの１つまたは両方に対して枢動自在に可動であり、前記成形されたエレメントの離型を容易にする、［９０］〜［１５７］のいずれか一項に記載の金型。
［１６０］
前記第１の金型部分が、蓋部であり、前記第２の金型部分が、ボウル部である、［９０］〜［１５６］のいずれか一項に記載の金型。
［１６１］
前記少なくとも１つのインサートエレメントが、前記ボウル部に付けられている、［１６０］に記載の金型。
［１６２］
前記少なくとも１つのインサートエレメントが、前記ボウル部に対して可動であり、前記成形されたエレメントの離型を容易にする、［１６１］に記載の金型。
［１６３］
前記少なくとも１つのインサートエレメントが、前記ボウル部に対して枢動自在に可動であり、前記成形されたエレメントの離型を容易にする、［１６１］に記載の金型。
［１６４］
前記金型が、複数のインサートエレメントを備え、それぞれのインサートエレメントが、テクスチャの付いた表面を備える、［９０］〜［１６３］のいずれか一項に記載の金型。
［１６５］
［９０］〜［１６４］のいずれか一項に記載の前記金型の中で成形されるエレメントの生産のためのプロセスであって、
（ｉ）前記金型キャビティーの中に成形用組成物を注入するステップと、
（ｉｉ）前記少なくとも１つのインサートエレメントを前記成形用組成物で実質的に完全に取り囲むステップと、
（ｉｉ）前記成形用組成物を硬化させ、前記成形されたエレメントを生産するステップと
を備える、プロセス。
［１６６］
［９０］〜［１６４］のいずれか一項に記載の前記金型の中で発泡させられるエレメントの生産のためのプロセスであって、
（ｉ）前記金型キャビティーの中に発泡性組成物を注入するステップと、
（ｉｉ）前記発泡性組成物を膨張させるステップと、
（ｉｉｉ）前記少なくとも１つのインサートエレメントを前記発泡性組成物で実質的に完全に取り囲むステップと
を備える、プロセス。
［１６７］
前記発泡性組成物が、液体である、［１６６］に記載のプロセス。
［１６８］
前記発泡性組成物が、発泡性のポリウレタン組成物を備える、［１６６］に記載のプロセス。
［１６９］
発泡させられる前記エレメントが、シートエレメントである、［１６６］〜［１６８］のいずれか一項に記載のプロセス。
［１７０］
前記発泡させられるエレメントが、車両用シート座部である、［１６６］〜［１６８］のいずれか一項に記載のプロセス。
［１７１］
前記発泡させられるエレメントが、車両用シート背部である、［１６６］〜［１６８］のいずれか一項に記載のプロセス。